(57)【要約】【課題】机を左右に並設した場合の配線作業を容易ならしめる。【手段】天板２を支持する左右の脚４（又は袖キャビネット）の後部が天板２の後方に露出しており、左右の脚４（又は袖キャビネット）の背面には、天板２と同じ高さの背面部材３が連結されている。天板２と背面部材３との間に配線空間６が空いている。脚４の露出部には、側面視で略Ｌ字状の端カバー９が装着されている。端カバー９の上部には、庇状の補助カバー７５を前後スライドによって着脱自在に取り付けることができる。端カバー９は側面視Ｌ字状であるため配線作業は簡単である。【選択図】図１０
2011139961.tif 000002
【特許請求の範囲】
【請求項１】
天板と、その左右端部を支持する支持体と、左右支持体の背面箇所に配置した背面部材とを備えており、支持体の後部を天板の後面よりも後方にはみ出させると共に、背面部材の上面を少なくとも支持体の上面と同じ程度の高さに設定することにより、天板と背面部材との間に上下に開口した配線用空間を形成している机であって、
前記支持体のうち天板の後方にはみ出た露出部の箇所に、ケーブル類を左右に通すことを許容した状態で支持体の露出部の上面の全体又は一部を覆う端カバーが配置されている、
机。
【請求項２】
前記天板と支持体とは、それら天板と支持体とを前後方向に相対動させると互いに嵌まり合って上下離反不能に保持されるスライド式係合手段と、ねじによる締結とで連結されており、前記スライド式係合手段は平面視で天板と支持体とが重なり合った部位に配置されている一方、天板の後部下面に、支持体の後部の露出部に上方から重なる張り出し片を有するリア金具が取り付けられており、リア金具の張り出し片がねじで支持体に締結されており、
更に、前記端カバーで前記リア金具の張り出し片を上方から覆っている、
請求項１に記載した机。
【請求項３】
前記背面部材の上面は天板の上面と略の同じ高さに設定されており、背面部材の上部に、当該背面部材及び天板の上面と略同じ高さで配線用空間を塞ぐ庇状のメインカバーが着脱自在に装着されている一方、
前記端カバーは、支持体に重なる水平部と背面部材に重なる起立部とを有しており、起立部に、上面が前記メインカバーと略同一面を成す庇状の補助カバーを着脱自在に装着している、
請求項１又は２に記載した机。
【発明の詳細な説明】
【技術分野】
【０００１】
本願発明は、配線機能を有する机（テーブル）に関するものである。
【背景技術】
【０００２】
オフィス用等の机は、一般に、脚や袖キャビネット（ワゴン）等の支持体で天板を支持した構成になっており、パソコン等のＯＡ機器の普及に伴い、電源コードや通信線のようなケーブル類を体裁良く処理できるように机に配線機能を持たせることが一般化している。
【０００３】
配線機能としては、配線用受け樋を設けることと、机上にケーブル類を引き出し易くするために天板の後方に配線用空間を設けることとが一般的であり、天板の後方に配線用空間を形成する手段としては、例えば天板の左右両端を脚で支持して成る机の場合であると、例えば特許文献１に開示されているように、左右脚の後部を天板の後面の後方にはみ出させると共に、左右脚の背面に１枚の幕板を重ね固定することにより、天板と幕板との間に配線用空間を形成している。そして、配線用空間は、複数個の着脱自在なカバー（キャップ）で覆われている。
【０００４】
この特許文献１のように構成すると、配線空間が天板の後ろ側に長く伸びているため机上へのケーブル類の引き出しが頗る容易である利点を有する。
【先行技術文献】
【特許文献】
【０００５】
【特許文献１】実用新案登録第２５３４２１１号公報
【発明の概要】
【発明が解決しようとする課題】
【０００６】
ところで、オフィス等においては多数の机を左右に並設することが広く行われている。また、本願出願人は、先願に係る特開２００４−３３７４５２号公報において、左右に並設した単位机において脚や袖キャビネットのような支持体を共用することによってコストを抑制した多連式机システムを開示した。
【０００７】
このように机を左右に並設する場合、隣り合った机の間で配線を容易に行えるように配慮されていることが望ましい。特に、近年、パソコンを初めとした機器類をＬＡＮ等で繋ぐネットワークシステムが一般化していることから、電源線や通信線等のケーブル類を机間において美麗かつ手際良く処理できるように配慮されていることは、ユーザーから強く要望されていると言える。
【０００８】
本願発明は、このような要望に応えることを主たる課題とするものである。
【課題を解決するための手段】
【０００９】
前記課題を解決するため請求項１の発明では、天板と、その左右端部を支持する支持体と、左右支持体の背面箇所に配置した背面部材とを備えており、支持体の後部を天板の後面よりも後方にはみ出させると共に、背面部材の上面を少なくとも支持体の上面と同じ程度の高さに設定することにより、天板と背面部材との間に上下に開口した配線用空間を形成している机において、前記支持体のうち天板の後方にはみ出た露出部の箇所に、ケーブル類を左右に通すことを許容した状態で支持体の露出部の上面の全体又は一部を覆う端カバーが配置されている構成になっている。なお、端カバーは端キャップ（エンドキャップ）と呼んでもよい。
【００１０】
請求項２の発明は、請求項１において、前記天板と支持体とは、それら天板と支持体と
を前後方向に相対動させると互いに嵌まり合って上下離反不能に保持されるスライド式係合手段と、ねじによる締結とで連結されており、前記スライド式係合手段は平面視で天板と支持体とが重なり合った部位に配置されている一方、天板の後部下面に、支持体の後部の露出部に上方から重なる張り出し片を有するリア金具が取り付けられており、リア金具の張り出し片がねじで支持体に締結されており、更に、前記端カバーで前記リア金具の張り出し片を上方から覆っている。
【００１１】
請求項３の発明では、請求項１又は２において、前記背面部材の上面は天板の上面と略の同じ高さに設定されており、背面部材の上部に、当該背面部材及び天板の上面と略同じ高さで配線用空間を塞ぐ庇状のメインカバーが着脱自在に装着されている一方、前記端カバーは、支持体に重なる水平部と背面部材に重なる起立部とを有しており、起立部に、上面が前記メインカバーと略同一面を成す庇状の補助カバーを着脱自在に装着している。
【発明の効果】
【００１２】
本願発明によると、端カバーの箇所でケーブル類を左右に通すことができることと、配線空間が上方に開口していることとにより、例えば机を左右に並設した状態で隣り合った机の間にケーブル類を配線することをごく簡単に行えると共に、脚等の支持体の露出部は端カバーで覆われているため美感が悪化したりケーブル類が傷付いたりすることはない。
【００１３】
また、請求項２のように構成すると、スライド式係合手段とねじ止め式リア金具との組み合わせにより、頑丈な構造でありながら組み立てが簡単な机を提供でき、しかも、ケーブル類の保護を兼用する端カバーをリア金具の遮蔽カバーに兼用できるため、組み立てが簡単で頑丈な机でありながら美感に優れた外観を実現できる。
【００１４】
請求項３のように構成すると、メインカバーと補助カバーとを取外すことにより天板の後方にその全長にわたって配線空間が広く空くため、複数の机を左右に並設した状態での配線作業を至極容易に行うことができる。また、補助カバーは庇状であるため、その下方にケーブル類を通すことができて配線機能に支障をきたすことはない。また、メインカバーと補助カバーとは略同一面を成しているため、美感の点でも優れている。更に、端カバーは机に取り付けたままで補助カバーだけを取外せるため、配線作業に際してケーブル類が支持体で傷付くようなこともない。
【図面の簡単な説明】
【００１５】
【図１】本願発明の実施形態に係る机システム（机群）の斜視図である。
【図２】背面部材の背面図である。
【図３】背面部材の分離斜視図である。
【図４】天板の前部と脚との連結構造を示す分離斜視図である。
【図５】天板の後部と脚との連結構造を示す分離斜視図である。
【図６】背面部材と脚との上下ずれ防止手段を示す分離斜視図である。
【図７】机の部分的な平面図である。
【図８】図７の VIII-VIII視断面図である。
【図９】端カバーを分離した状態での平面図である。
【図１０】(A) は端カバー９取り付けた状態での平面図、(B) は(A) の B-B視断面図である。
【図１１】端カバーと背面部材と金具との分離斜視図である。
【図１２】端カバーと補助カバーとを示す図である。
【図１３】(A) は机の端部の平面図、(B) は(A) の B-B視断面図である。
【図１４】袖キャビネットと天板との連結構造を説明するための図である。
【図１５】中間カバーとその使用状態を示す図である。
【発明を実施するための形態】
【００１６】
次に、本願発明の実施形態を図面に基づいて説明する。
【００１７】
(1).全体の概要
図１（Ａ）は多数の机ユニット（単位机）１からなる机群の外観斜視図であり、机群は、前机ユニット１を左右に並設した多連式机システムと後机ユニット１を左右に並設した多連式机システムとが背中合わせ状に連結されている。図１（Ｂ）は多連式机システムを後方から見た斜視図である。以下の説明では、机は単に「机」と称する。
【００１８】
なお、背中合わせ方式の机システムではどちらが前か後か名分し難いが、以下の説明では、便宜上、図１（Ａ）に表示した正面視・背面視の方向を基準にして前後を定めることとする。また、本明細書で使用する「左右」は、使用者が机を普通に使用する姿勢を基準にしている。
【００１９】
図１から理解できるように、各机１は、平面視長方形の天板２とこれを支持する脚４又は袖キャビネット５を備えており、前後机１の脚４又は袖キャビネット５は、それらの間に介在した背面部材３に連結されている。換言すると、前後の単位机が背面部材３を共用している。脚４及び袖キャビネット５は天板に対する支持体の一例であり、背面部材３は
その左右端部が脚４又は袖キャビネット５の背面に重なっている。つまり、左右に隣り合った単位机１は、脚４又は袖キャビネット５を共用しており、天板２と左右支持体４，５と背面部材３とで全体の剛性が確保されている。
【００２０】
背面部材３の上面と天板２の上面とは略同じ高さになっており（異なる高さでも良い）、天板２と背面部材３との間には、上下に開口した配線用空間が空いている。すなわち、天板２の背面を脚４又は袖キャビネット５の背面よりも手前側にずらして脚４及び袖キャビネット５の後部を露出させることにより、天板２の後方に上下開口の配線用空間を形成している。
【００２１】
背面部材３には、配線用空間６を覆うメインカバー７を着脱自在に取り付けることができ、また、背面部材３には配線受け樋８を取り付けることができる。更に、脚４及び袖キャビネット５の後部の露出部には、詳細は後述するように、本願発明の実施品である端カバー９を着脱自在に取り付けることができる。また、背面部材３の上面には机上パネル１０を取り付けることができる。メインカバー７は適当な長さに設定されており、一つの机１に複数本を装着している（勿論、長さは自由に設定できる）。
【００２２】
脚４は、中空板状の基部４ａと、基部４ａの上端に固着した上アーム１１及び基部４ａの下端部に固着した下アーム１２を備えて側面視でコ字状に形成されている。
【００２３】
図１（Ｂ）に示すように、背面部材３は、脚４又は袖キャビネット５に連結される縦長の左右サイドフレーム１３とそれら左右サイドフレームの上端に連結された横長の上部水平フレーム（以下、（アッパーフレーム」という）１４とから成る外枠体と、左右サイドフレーム１３に固定されたパネル体１６とで構成されている。アッパーフレーム１４とサイドフレーム１３とは共にアルミ等の軽金属の押し出し製品を使用しているが、角形鋼管や板金製品を使用することも可能である。
【００２４】
図１（Ｂ）に示すように、アッパーフレーム１４とパネル体１６との間に配線可能な空間１７が空いている場合、アッパーフレーム１４とパネル体１６との間に、着脱自在なスペーサ１８を配置することが可能である。
【００２５】
(2).背面部材３の構造
次に、主として図２及び図４を参照して背面部材３について説明する。図２は背面部材３の背面図、図３（Ａ）は背面部材３の分離斜視図である。
【００２６】
背面部材３のパネル体１６は鋼板からなっており、その四周に角形の折り返し部２０，２１を形成することによって剛性を高めている。背面部材３は四方枠構造体となしたり、或いは、全体にわたって等しい厚さの板体とすることも可能である。また、必ずしも机の強度メンバーとしての機能を果たす必要はない。
【００２７】
背面部材３のアッパーフレーム１４は全体としては中空角形であり、表裏両面（前後両面）には、上から順に、横向き第１溝２３、横向き第２溝２４、横向き第３溝２５が形成されており、また、下面には下向き溝２６が形成されている。各溝は蟻溝状に形成されている。
【００２８】
サイドフレーム１３は全体として中空角形になっていて、前面体１３ａと後面板１３ｂとを備えている。また、サイドフレーム１３には、パネル体１６の左右の折り曲げ部２１がきっちり嵌まり込む内向き縦溝２８と、外側に向けて開口した外向き縦溝２９とが形成されている。外向き縦溝２９は蟻溝になっており、更に、サイドフレーム１３の内部には、円筒の一部を縦に切除した形状のインナー縦溝３０が一体形成されている。サイドフレ
ーム１３の上下両端には樹脂製のキャップ３１を装着している。
【００２９】
アッパーフレーム１４とサイドフレーム１３とは、アッパーフレーム１４の隔壁２７とサイドフレーム１３の内側面に重なるＬ形のジョイント金具３２とビス（図示せず）を使用して連結されている。サイドフレーム１３の内向き溝２８には、ジョイント金具３２を差し込むための窓穴３４が空いている。いうまでもないが、サイドフレーム１３とアッパーフレーム１４とは他の連結構造（例えば溶接）も採用できる。
【００３０】
パネル体１６の左右の折り返し部２１は上下複数本（２本）のビス（例えばタッピンねじ）３５でサイドフレーム１３の内向き縦溝２８に固定されている。パネル体１６は、その上方に配線用の空間１７が空いた状態と空いていない状態とに高さを２段階に高さ調節できる。図３の符号３６，３７はビス３５の挿通穴である。
【００３１】
背面部材３におけるサイドフレーム１３の前面板１３ａ及び後面板１３ｂには、当該サイドフレーム１３と脚４又は袖キャビネット５との連結手段の一環として、上下一対の係合穴３９が空けられており、また、サイドフレーム１３の前面板１３ａ及び後面板１３ｂの上端部には、上部を幅狭部４０ａとした凸字形のストッパー穴４０を空けている。
【００３２】
前記係合穴３９は大径部３９ａと小径部３９ｂとが連通したダルマ形係合穴であるが、前面板１３ａの係合穴３９と背面板１３ｂの係合穴３９とは姿勢が上下逆になり、かつ、前後の係合穴３９とも小径部３９ｂの中心は同じ高さになっている。なお、ダルマ形係合穴３９の姿勢は前後で逆向きでも良い。
【００３３】
図３（Ｂ）は背面部材３と脚４及び袖キャビネット５との関係を示す図で、この図に示すように、机１を構成する脚４及び袖キャビネット５の背面には、背面部材３との連結手段の一環として、ダルマ形係合穴３９の小径部３９ａに嵌まる首部を有する異径ピン（段付きピン）４１が突設されている。異径ピン４１はサイドフレーム１３の上下ダルマ形係合穴３９に対応して上下２本を１セットとしており、更に、１つの脚４及び袖キャビネット５に左右に並設した背面部材３を連結することを可能ならしめるため、異径ピン４１は脚４及び袖キャビネット５に左右２セットずつ設けている。
【００３４】
本実施形態では、背中合わせ方式机システムの組み立ては例えば次のような手順で行うことができる。すなわち、後机１の脚４又は袖キャビネット５に対して背面部材３を連結し、次いで、背面部材３に対して前机１の脚４又は袖キャビネット５を連結し、それから、前後机１の脚４又は袖キャビネット５に対して天板２をそれぞれ連結するのである。
【００３５】
(3).天板と脚及び袖キャビネットとの連結構造
次に、天板２と脚４及び袖キャビネット５との連結構造を主として図４〜図８に基づいて説明する。図４のうち（Ａ）は天板２の前部と脚４との連結構造を示す分離斜視図、（Ｂ）はフロント金具４３を後方から見た斜視図、図５は天板２の後部と脚４との連結構造を示す分離斜視図、図６は背面部材３と脚４との上下ずれ防止手段を示す分離斜視図、図７は両面使い使用の机の部分的な平面図、図８は図７ VIII-VIII視断面図である。
【００３６】
天板２は、その上面を構成する表面板４４と、表面板４４の前部を支持する左右長手の前部補強枠４５と、表面板４４の後部を支持する後部補強枠４６と、前後補強枠４５の間に位置した中間補強枠（図示せず）と、補強枠群の左右両端に固着した前後長手のサイド補強枠４７と、樹脂製のサイドエッジ４８及びリアエッジ４９を備えている。
【００３７】
前後補強枠４５，４６はほぼ同じ断面形状であり、表面板４４に重なる部分とこれら下方に突出した角形樋状部５０を有する形態である。また、内部には断面略コ字状の補助補
強材５１が配置されている。なお、図８では補助補強材５１は省略している。
【００３８】
例えば図４から容易に理解できるように、前部補強枠４５における角形樋状部５０の下面にフロント金具４３をボルト５２で固定している（溶接してもよい）。フロント金具４３は、側面視で後ろ向き鉤状の係合爪５３を左右に配置した正面視略下向き開口コ字形に形成されており、角形樋状部５０に形成した凹溝部５０ａに配置している。また、フロント金具４３の上面には台形状の後ろ向き突出部４３ａ形成しており、角形樋状部５０の凹溝部５０ａに形成した角穴５４に後ろ向き突出部４３ａを嵌め込むことによって位置決めをしている。
【００３９】
他方、脚４の上アーム１１は上向きに開口した樋状に形成されており、その前部に側断面略下向き開口コ字状の前支持体５５を溶接によって固着し、この前支持体５５に、請求項に記載したスライド式係合手段の一環として、フロント金具４３の係合爪５３が前後方向から係脱する左右一対の係合穴５６を形成している。フロント金具４３のうち係合爪５３の上方には、前支持体５５の上面に当接又は密接し得る補助突起５３ａを形成している。天板２を上アーム１１に重ねてから後方にスライドさせることにより、係合爪５３を係合穴５６に簡単に係脱させることができる。脚４における上アーム１１の上端には内向きフランジ１１ａを形成している。
【００４０】
例えば図５及び図８に示すように、天板２を構成する後部補強枠４６の角形樋状部５０には、天板２の後方に露出した張り出し片６１を有するリア金具（後部連結金具）６０がボルト６２で固定されている一方、脚４における上アーム１１の後部には側断面略下向き開口コ字状の後部支持体６３が溶接によって固着されており、後部支持体６３には、リア金具６０の張り出し片６１をボルト６４で固定するための雌ねじ部（ナット）６５を設けている。
【００４１】
雌ねじ部６５は、上アーム１１の前後長手中心線を挟んだ両側に振り分けて配置されている。１つの脚４で左右の天板２を支持する場合は、リア金具６０の１つの張り出し片６１は脚４の外側にはみ出ている。１つの脚４で１枚の天板２を支持する場合は、左右張り出し片６１は上アーム１１と重なっている。
【００４２】
後部支持体６３は上アーム１１の上面よりも若干下方に落ち込んでおり、このため、リア金具６０の張り出し片６１は天板２に密着する部分から段落ちさせている。また、リア金具６０のうち天板２への固定用ボルト穴６６を挟んだ前後両側に突起６０ａを設けている一方、天板１を構成する後部補強枠４６の角形樋状部５０には、前後突起６０ａで挟まれる突条部５０ｂを形成して、この突条部５０ｂの内面にナットを溶接している。
【００４３】
リア金具６０は、天板２と脚４４との間に隙間を空けるためのスペーサの役割も備えており、そこで、リア金具６０のうち前後突起６０ａの前後外側の部分に、脚４における上アーム１１の水平フランジ１１ａに載る下向き押し曲げ部６０ｂを形成している。リア金具６０の張り出し片６１には、前後長手の小判形（長穴）のボルト挿通穴６８を空けている。
【００４４】
天板２を脚４に連結するに際しては、まず、フロント金具４３の係合爪５３を前支持体５５の係合穴５６に係合させ、次いで、リア金具６０の張り出し片６１を脚４の後部支持体６３にボルト６４で固定したら良い。フロント金具４３と係合穴５６との嵌まり合いにより、天板２と脚４とは上下左右方向に相対動不能に保持され、かつ、リア金具６０が脚４にボルト６４で締結されていることにより、天板２と脚４とはその後部において上下左右及び前後動不能に保持される。従って、天板２と脚４とは強固に固定されている。
【００４５】
そして、フロント金具４３と係合穴５６との嵌め合わせは天板２をスライドさせることで簡単に行われる一方、リア金具６０を締結するボルト６４の回転操作は、天板２の後方の露出箇所の無理な姿勢をとることなくごく簡単に行える。従って、机の組み立て及び分解をごく簡単に行うことができる。
【００４６】
脚４及び袖キャビネット５と背面部材３との連結手段として実施形態のように異径ピン４１とダルマ形係合穴３９との組み合わせを採用すると、例えば机を持ち上げたときに背面部材３を上下動不能に保持する手段が必要である。この点について本実施形態では、図６に示すように、上アーム１１の後部支持体６３にストッパー金具６９をボルト７０で固定し（このため脚４の後部支持体６３にストッパー金具用雌ねじ部６５′を設けている）、これに設けたストッパー爪６９ａを背面部材３におけるサイドフレーム１３のストッパー穴４０に嵌め込んでいる。
【００４７】
ストッパー爪６９ａは左右に２個振り分けて設けており、左右の背面部材３で１つの脚４を共用する場合は、左右のストッパー爪６９ａがそれぞれ背面部材３のストッパー穴４０に嵌まる。他方、１つの脚４に１つの背面部材３しか連結しない場合は、一方のストッパー爪６９ａは背面部材３におけるサイドフレーム１３のストッパー穴４０に嵌まり、他方のストッパー爪６９ａは背面部材３におけるアッパーフレーム１４の横向き第２溝２４に嵌まっている。
【００４８】
(4).端カバーの構造
次に、従前の図（図７）に加えて図９〜図１２に基づいて端カバー９の説明を行う。図９は端カバー９を分離した状態での平面図、図１０のうち（Ａ）は端カバー９を取り付けた状態での平面図、（Ｂ）は（Ａ）のＢ−Ｂ視断面図、図１１のうち（Ａ）は分離斜視図、（Ｂ）は端カバー９を裏側から見た斜視図、図１２のうち（Ａ）は端カバー９の斜視図、（Ｂ）は補助カバー７５の斜視図、（Ｃ）は補助カバー７５の側面図、（Ｄ）は補助カバー７５を裏側から見た斜視図、（Ｅ）は端カバー９と補助カバー７５との分離断面図である。
【００４９】
端カバー９は合成樹脂製であり、脚３の後部の露出部に重なる板状の水平部９ａと、その後部から立ち上がった起立部９ｂとで側面視略Ｌ字状の基本形態になっている。水平部９ａの上面は側面視波形に形成されているが、これは主としてデザイン的なものであり、平坦面であっても良い。
【００５０】
図１０（Ｂ）から推測できるように、水平部９ａの下面はリア金具６０及びストッパー金具６９を固定するためのボルト６４，７０に当接又は近接するように設定している。また、水平部９ａの下面には、リア金具６０を固定するためのボルト６４の頭を囲う底面視略Ｕ字状のリブ７６を形成し、更に、脚４の後部支持体６３に当たる足部７７がリブ７６と連接した状態に形成されている。リブ７６の存在により、端カバー９はずれ不能に保持されている。端カバー９における水平部９ａの前端部は、天板２の後端部の下方の空間に嵌まり込むようになっている。
【００５１】
また、水平部９ａの前端部のうち左右中間部には、リア金具６０における左右張り出し片６１の間の隙間に嵌まり込み得る位置決め片７８を前向きに突設している。この位置決め片７８の存在により、端カバー９は左右ずれ不能に保持される。１つの脚４に左右２枚の天板２の端部を連結する場合は、図７に示すように左右２個のリア金具６０が脚４に固定されるが、この場合、隣り合ったリア金具６０の間に、端カバー９の位置決め片７８が嵌まり込む間隔が空くようになっている。従って、多数の単位机１を連結した多連式机システムにおいて、最端部に位置した支持体においても、両端の間に位置した支持体においても端カバー９を取り付けることができる。
【００５２】
端カバー９の起立部９ｂは、その前面が前向きに突出した平面視山形に形成されている。起立部９Ｂは天板９ｂ′を有して下方及び後方に開口した中空状に形成されており、天板９ｂ′の後端に、背面部材３におけるサイドフレーム１３のストッパー穴４０の幅狭部４０ａに弾性に抗しての変形によって係脱する係合爪７９を形成している。本実施形態では係合爪７９は２個で１セットになっているが、１個ずつでもよい。また、係合爪７９が嵌脱する係合穴はストッパー穴４０と別の場所に設けることも可能であるが、本実施形態のようにストッパー穴に連通した状態に形成すると、構造が簡単になる利点がある。
【００５３】
端カバー９の起立部９ｂには、当該起立部９ｂから前向きに張り出した庇状の補助カバー７５が着脱自在に取り付けられる。補助カバー７５は平面視略四角形で、左右幅は水平部９ａと略同じに設定されており、後面は背面部材３におけるサイドフレーム１３の前面に重なるように設定している。従って、端カバー９の起立部９ｂは補助カバー７５で完全に覆われている。
【００５４】
補助カバー７５を端カバー９の起立部９ｂに取り付ける手段としては、起立部９ｂの天板９ｂ′及び前壁部に蟻溝状の切り開き穴（係合穴）８０を形成する一方、補助カバー７５の下面に、当該補助カバー７５を手前から後方に水平動させると切り開き穴８０に嵌まり込む蟻ホゾ状の係合突起８１を形成している。補助カバー７５は天板２が固定された状態で端カバー９に着脱することができ、従って、補助カバー７５を取り付けた状態では、補助カバー７５と天板２との間には、補助カバー７５の着脱を可能ならしめるための空間が空いている。
【００５５】
ところで、図１に示すように、隣り合った天板２に跨がると共に後面が背面パネル９に重なる状態でサイドパネルＳを配置する場合があるが、本実施形態のように補助カバー７５を前後方向のスライドによって端カバー９に着脱する構成にすると、補助カバー７５は、サイドパネルＳが配置された状態のままで着脱できる利点がある。更に、端カバー９の起立部９ｂは天板２の上面よりも下方に位置しているため、補助カバー７５を取外すと、サイドパネルＳを取り付けた状態であっても側面視で傾けることができ、このため、サイドパネルＳを取り付けたままで端カバー９を着脱させことが可能になる（端カバー９はサイドフレーム１３に係止しているのが、左右ずれ不能に保持される）。この点も本実施形態の利点である。
【００５６】
端カバー９の切り開き穴８０には、幅広状のストッパー部８０ａが形成されており、他方、補助カバー７５の係合突起８１にも、切り開き穴８０のストッパー部８０ａに当たる広幅状段部８１ａが形成されている。
【００５７】
端カバー９の取り付けは、図１０（Ｂ）に矢印Ｘで示すように、端カバー９をその前端が下になるように側面視で傾斜させた姿勢で前端部を天板２の右方に嵌め込み、次いで、後部を下方に移動させて水平姿勢にしたらよい。端カバー９の前端がリア金具６０の段部に当接した状態で水平姿勢になることにより、係合爪７９が端カバー９におけるストッパー穴４０の幅狭部４０ａに嵌まり込む。取外しは逆の手順で行う。補助カバー７５の着脱は、当該補助カバー７５を前後方向にスライドさせることによって行う。
【００５８】
(5).メインカバー及び配線受け樋
図１３のうち（Ａ）は机１の端部の平面図、（Ｂ）は（Ａ）のＢ−Ｂ視断面図である。この図に示すように、メインカバー７と補助カバー７５とは上端及び前端が揃えられている。そして、メインカバー７は樹脂の押し出し形品で中空状に形成されており、上面はフラットで、かつ、後端部（基端部）の上下幅寸法が大きくて手前側の上下幅寸法は小さくなっている。
【００５９】
そして、後端面に、背面部材３におけるアッパーフレーム１４の横向き第１溝２３に嵌脱する２本の上部係合爪８３と、アッパーフレーム１４の横向き第２溝２４に嵌脱する１本の下部係合爪８４とを突設している。両係合爪８３，８４の先端部は上方に反っており、このため、メインカバー７は、その前部が上になるように側面視で傾斜した姿勢にすることにより、アッパーフレーム１４に着脱することができる。
【００６０】
配線受け樋８は断面上向き開口コ字状に形成されており、本実施形態では樹脂の押し出し成形品を使用している（もちろん、射出成形品を使用したり板金製品を使用したりすることもできるのであり、この点はメインカバー７も同じである）。
【００６１】
そして、配線受け樋８の背面板８ａは上方に長く延びており、その上部には、アッパーフレーム１４のうち横向き第３溝２５に嵌まる上挟持爪８５と、アッパーフレーム１４の下面に当接する下挟持爪８６とを形成している。上下挟持爪８５，８６でアッパーフレーム１４の下部を挟持しているため、例えば人が足で突き上げても離脱することはない。配線受け樋８には、パネル体１６に当たるストッパー片８７を設けている。詳細は省略するが、配線受け樋８はその複数個を上下に連結することができる。
【００６２】
なお、図１３（Ａ）では配線受け樋８の断面表示は省略している。また、図１３（Ａ）のアッパーフレーム１４は、机を背中合わせにしない態様で仕様されるタイプを表示しており、このタイプでは、アッパーフレーム１４の背面部には横向き第１溝２３と横向き第２溝２４とは形成していない。
【００６３】
(6).天板と袖キャビネットとの連結及びカバー手段
次に、天板と袖キャビネットとの連結態様を図１４に基づいて補足しておく。図１４のうち（Ａ）は袖キャビネット５の前部の平面図、（Ｂ）は袖キャビネット５の後部の平面図、（Ｃ）は（Ｂ）のＣ−Ｃ視断面図である。
【００６４】
袖キャビネット５と天板２との連結構造も基本的には脚４の場合と同じで、既述のフロント金具４３とリア金具６０を使用しているが、袖キャビネット５は左右幅が大きいので、例えば天板２を持ち上げたときの強度を確保するためや、袖キャビネット５を使用者の左右いずれに配置しても使用できるようにするため、フロント金具４３及びリア金具６０とも左右に２個ずつ配置している（ストッパー金具６９は１個だけで良い）。
【００６５】
袖キャビネット５の本体は側板に固定された前かまち（前補強材）８９及び後ろかまち（後ろ補強材）９０とを備えており、天板２は両かまち８９，９０に連結している。なお、前後かまち８９，９０を一体に連結して天板と成してもよい。
【００６６】
袖キャビネット５と天板２との連結も基本的には脚４との連結と同じであり、各金具４３，６０，６９は既述したものと同じである。前かまち７１は図示しない補強材を備えており、また、係合穴５６は図示しない補強板に形成している。後ろかまち９０のうちリア金具６０及びストッパー金具６９が締結される部分は、脚４の後部支持板６３が上アーム１１の上面からやや下方に沈み込んでいることに対応して下方に段落ちしている。
【００６７】
既述のとおり、フロント金具４３及びリア金具６０は左右２個ずつ使用しているが、袖キャビネット５で左右２枚の天板２を支持する場合も１枚の天板２を支持する場合のいずれにおいてもフロント金具４３の左右係合爪５３が係合穴５６に嵌まるように、前部の係合穴５６は３本ずつ形成している。
【００６８】
図１４では端カバー９は表示していないが、机システムの端部に位置した箇所や、袖キ
ャビネット５同士又は袖キャビネット５と脚４とを並設した箇所においては、リア金具６０とストッパー金具６９とは既述した端カバー９がそのまま使用される。
【００６９】
他方、袖キャビネット５にはリア金具６０を左右に一対配置しており、このうちの１つのリア金具６０の箇所には、背面部材３のサイドフレーム１３は存在していない。この場所には、リア金具６０を隠すため、図１５に示す中間カバー９１を配置している。
【００７０】
すなわち、図１５のうち（Ａ）は分離平面図、（Ｂ）は中間カバー９１を裏返した状態での斜視図、（Ｃ）は中間カバー９１を取り付けた状態での（Ａ）のＣ−Ｃ視断面図であり、中間カバー９１は、その前端部が天板２の後端部下方に張り込むように設定していると共に、リア金具６０における左右張り出し片６１の間に入り込む前向き突起９２を左右一対設けており、更に、水平状態に保持する手段として、袖キャビネット５の後ろかまち９０に形成した第１係合穴９３に弾性的に嵌合する係合爪９４を形成している。
【００７１】
また、後ろかまち９０に当たって高さを一定に保持するリブ９５を形成し、更に、リブ９５よりも下向きに突出した下向き突起９６を設けて、これを、後ろかまち９０に形成した第２係合穴９７に嵌め込んでいる。
【００７２】
左右の前向き突起９２は前後長手の中心線を挟んだ左右に振り分けて配置しており、かつ、係合爪９４は左右中間部に形成している一方、後ろかまち９０の第１係合穴９３は、リア金具６０の左右張り出し片６１のうち内側に位置した張り出し片６１の後方に形成している。従って、中間カバー９１は同じ種類のものを袖キャビネット５の左側にも右側にも取り付けることができる。
【００７３】
このように中間カバー９１を設けることにより、美感をいっそう向上できると共にケーブル類も保護することができる。なお、袖キャビネット６の箇所のうち端カバー９と中間カバー９１との間の部分は露出したままになっているが、この部分にも別途カバーを設けることは可能である。
【００７４】
(7).その他
本願発明は上記の実施形態の他にも様々に具体化できる。例えば端カバーや補助カバーの具体的な形態は必要に応じて変更できる（例えば、端カバーは、側面視で上向き開口コ字状や、実施形態とは逆向きの側面視Ｌ字状の形態を採用することも可能である。）。また、端カバーが机システムの最端部に位置した場合に端面を塞ぎたい場合は、端カバーに、ケーブル類を左右に挿通できないように遮蔽する上下差し込み式の仕切りキャップを設けることも可能である。
【００７５】
更に、補助カバーを設ける場合、前後水平方向の移動によって着脱することには限らず、上下方向の移動によって着脱させたり、本実施形態のメインカバーの取り付け構造と同様に、側面視で傾斜姿勢にして係合部を挿脱してから水平姿勢に倒すことで装着することも可能である。更に、端カバーと補助カバーとの係合手段を左右水平方向の相対動で嵌脱する方式として、左右方向に水平移動させることで端カバーに着脱させることものである。また、フロント金具及びリア金具の形態は必要に応じて変更できる。
【符号の説明】
【００７６】
１  机ユニット（単位机）
２  天板
３  背面部材
４  支持体の一例としての脚
５  支持体の一例としての袖キャビネット
６  配線空間
７  メインカバー
９  端カバー
４３  フロント金具
６０  リア金具
７５  補助カバー
【図１】
2011139961.tif 000003
【図２】
2011139961.tif 000004
【図３】
2011139961.tif 000005
【図４】
2011139961.tif 000006
【図５】
2011139961.tif 000007
【図６】
2011139961.tif 000008
【図７】
2011139961.tif 000009
【図８】
2011139961.tif 000010
【図９】
2011139961.tif 000011
【図１０】
2011139961.tif 000012
【図１１】
2011139961.tif 000013
【図１２】
2011139961.tif 000014
【図１３】
2011139961.tif 000015
【図１４】
2011139961.tif 000016
【図１５】
2011139961.tif 000017
【手続補正書】
【提出日】平成23年5月13日(2011.5.13)
【手続補正１】
【補正対象書類名】特許請求の範囲
【補正対象項目名】全文
【補正方法】変更
【補正の内容】
【特許請求の範囲】
【請求項１】
天板と、その左右端部を支持する左右支持体とを備えており、前記左右支持体の後部を天板の後面よりも後方にはみ出させ、これら左右支持体において前記天板の後方にはみ出た露出部の箇所に、ケーブル類を左右に通すことを許容した状態で支持体の露出部の上面の全体又は一部を覆う端カバーが配置されている構成であって、
前記端カバーは、前記支持体の露出部に重なる水平部と、前記水平部の後部から立ち上がった後ろ起立部とを有しており、このため前記後ろ起立部の手前に前記ケーブル類を左右に通し得る支持体部配線空間が空いており、かつ、前記端カバーに、前記支持体部配線空間を上から覆う補助カバーが着脱自在に取り付けられており、前記補助カバーの上面は前記天板の上面と略同一面を成している、
机。
【手続補正２】
【補正対象書類名】明細書
【補正対象項目名】全文
【補正方法】変更
【補正の内容】
【発明の詳細な説明】
【技術分野】
【０００１】
本願発明は、配線機能を有する机（テーブル）に関するものである。
【背景技術】
【０００２】
オフィス用等の机は、一般に、脚や袖キャビネット（ワゴン）等の支持体で天板を支持した構成になっており、パソコン等のＯＡ機器の普及に伴い、電源コードや通信線のようなケーブル類を体裁良く処理できるように机に配線機能を持たせることが一般化している。
【０００３】
配線機能としては、配線用受け樋を設けることと、机上にケーブル類を引き出し易くするために天板の後方に配線空間を設けることとが一般的であり、天板の後方に配線空間を形成する手段としては、例えば天板の左右両端を脚で支持して成る机の場合であると、例えば特許文献１に開示されているように、左右脚の後部を天板の後面の後方にはみ出させると共に、左右脚の背面に１枚の幕板を重ね固定することにより、天板と幕板との間に配線空間を形成している。そして、配線空間は、複数個の着脱自在なカバー（キャップ）で覆われている。
【０００４】
この特許文献１のように構成すると、配線空間が天板の後ろ側に長く延びているため机上へのケーブル類の引き出しが頗る容易である利点を有する。
【先行技術文献】
【特許文献】
【０００５】
【特許文献１】実用新案登録第２５３４２１１号公報
【発明の概要】
【発明が解決しようとする課題】
【０００６】
ところで、オフィス等においては多数の机を左右に並設することが広く行われている。また、本願出願人は、先願に係る特開２００４−３３７４５２号公報において、左右に並設した単位机において脚や袖キャビネットのような支持体を共用することによってコストを抑制した多連式机システムを開示した。
【０００７】
このように机を左右に並設する場合、隣り合った机の間で配線を容易に行えるように配慮されていることが望ましい。特に、近年、パソコンを初めとした機器類をＬＡＮ等で繋ぐネットワークシステムが一般化していることから、電源線や通信線等のケーブル類を机間において美麗かつ手際良く処理できるように配慮されていることは、ユーザーから強く要望されていると言える。
【０００８】
本願発明は、このような要望に応えることを主たる課題とするものである。
【課題を解決するための手段】
【０００９】
本願発明の机は、天板と、その左右端部を支持する左右支持体とを備えており、前記左右支持体の後部を天板の後面よりも後方にはみ出させ、これら左右支持体において前記天板の後方にはみ出た露出部の箇所に、ケーブル類を左右に通すことを許容した状態で支持体の露出部の上面の全体又は一部を覆う端カバーが配置されている構成であって、前記端カバーは、前記支持体の露出部に重なる水平部と、前記水平部の後部から立ち上がった後ろ起立部とを有しており、このため前記後ろ起立部の手前に前記ケーブル類を左右に通し得る支持体部配線空間が空いており、かつ、前記端カバーに、前記支持体部配線空間を上から覆う補助カバーが着脱自在に取り付けられており、前記補助カバーの上面は前記天板の上面と略同一面を成している。
【００１０】
【００１１】
【発明の効果】
【００１２】
本願発明によると、端カバーの箇所でケーブル類を左右に通すことができることと、天板の後ろでメイン配線空間が上方に開口していることとにより、例えば机を左右に並設した状態で隣り合った机の間にケーブル類を配線することをごく簡単に行えると共に、脚等の支持体の露出部は端カバーで覆われているため美感が悪化したりケーブル類が傷付いたりすることはない。
【００１３】
【００１４】
また、補助カバーを取外すと支持体部配線空間が広く空くため、複数の机を左右に並設した状態での配線作業を至極容易に行うことができる。また、補助カバーの下方にケーブル類を通すことができて配線機能に支障をきたすことはない。更に、端カバーは机に取り付けたままで補助カバーだけを取外せるため、配線作業に際してケーブル類が支持体で傷付くようなこともない。
【図面の簡単な説明】
【００１５】
【図１】本願発明の実施形態に係る机システム（机群）の斜視図である。
【図２】背面部材の背面図である。
【図３】背面部材の分離斜視図である。
【図４】天板の前部と脚との連結構造を示す分離斜視図である。
【図５】天板の後部と脚との連結構造を示す分離斜視図である。
【図６】背面部材と脚との上下ずれ防止手段を示す分離斜視図である。
【図７】机の部分的な平面図である。
【図８】図７の VIII-VIII視断面図である。
【図９】端カバーを分離した状態での平面図である。
【図１０】(A) は端カバーを取り付けた状態での平面図、(B) は(A) の B-B視断面図である。
【図１１】端カバーと背面部材と金具との分離斜視図である。
【図１２】端カバーと補助カバーとを示す図である。
【図１３】(A) は机の端部の平面図、(B) は(A) の B-B視断面図である。
【図１４】袖キャビネットと天板との連結構造を説明するための図である。
【図１５】中間カバーとその使用状態を示す図である。
【発明を実施するための形態】
【００１６】
次に、本願発明の実施形態を図面に基づいて説明する。
【００１７】
(1).全体の概要
図１（Ａ）は多数の机ユニット（単位机）１からなる机群の外観斜視図であり、机群は、前机ユニット１を左右に並設した多連式机システムと後机ユニット１を左右に並設した多連式机システムとが背中合わせ状に連結されている。図１（Ｂ）は多連式机システムを後方から見た斜視図である。以下の説明では、机は単に「机」と称する。
【００１８】
なお、背中合わせ方式の机システムではどちらが前か後か名分し難いが、以下の説明では、便宜上、図１（Ａ）に表示した正面視・背面視の方向を基準にして前後を定めることとする。また、本明細書で使用する「左右」は、使用者が机を普通に使用する姿勢を基準にしている。
【００１９】
図１から理解できるように、各机１は、平面視長方形の天板２とこれを支持する脚４又は袖キャビネット５を備えており、前後机１の脚４又は袖キャビネット５は、それらの間に介在した背面部材３に連結されている。換言すると、前後の単位机が背面部材３を共用している。脚４及び袖キャビネット５は天板に対する支持体の一例であり、背面部材３はその左右端部が脚４又は袖キャビネット５の背面に重なっている。つまり、左右に隣り合った単位机１は、脚４又は袖キャビネット５を共用しており、天板２と左右支持体４，５と背面部材３とで全体の剛性が確保されている。
【００２０】
背面部材３の上面と天板２の上面とは略同じ高さになっており（異なる高さでも良い）、天板２と背面部材３との間には、上下に開口したメイン配線空間６が空いている。すなわち、天板２の背面を脚４又は袖キャビネット５の背面よりも手前側にずらして脚４及び袖キャビネット５の後部を露出させることにより、天板２の後方に上下開口のメイン配線空間６を形成している。
【００２１】
背面部材３には、メイン配線空間６を覆うメインカバー７を着脱自在に取り付けることができ、また、背面部材３には配線受け樋８を取り付けることができる。更に、脚４及び袖キャビネット５の後部の露出部には、詳細は後述するように、本願発明の実施品である端カバー９を着脱自在に取り付けることができる。また、背面部材３の上面には机上パネル１０を取り付けることができる。メインカバー７は適当な長さに設定されており、一つの机１に複数本を装着している（勿論、長さは自由に設定できる）。
【００２２】
脚４は、中空板状の基部４ａと、基部４ａの上端に固着した上アーム１１及び基部４ａの下端部に固着した下アーム１２を備えて側面視でコ字状に形成されている。
【００２３】
図１（Ｂ）に示すように、背面部材３は、脚４又は袖キャビネット５に連結される縦長の左右サイドフレーム１３とそれら左右サイドフレームの上端に連結された横長の上部水平フレーム（以下、（アッパーフレーム」という）１４とから成る外枠体と、左右サイドフレーム１３に固定されたパネル体１６とで構成されている。アッパーフレーム１４とサイドフレーム１３とは共にアルミ等の軽金属の押し出し製品を使用しているが、角形鋼管や板金製品を使用することも可能である。
【００２４】
図１（Ｂ）に示すように、アッパーフレーム１４とパネル体１６との間に配線可能な空間１７が空いている場合、アッパーフレーム１４とパネル体１６との間に、着脱自在なスペーサ１８を配置することが可能である。
【００２５】
(2).背面部材３の構造
次に、主として図２及び図４を参照して背面部材３について説明する。図２は背面部材３の背面図、図３（Ａ）は背面部材３の分離斜視図である。
【００２６】
背面部材３のパネル体１６は鋼板からなっており、その四周に角形の折り返し部２０，２１を形成することによって剛性を高めている。背面部材３は四方枠構造体となしたり、或いは、全体にわたって等しい厚さの板体とすることも可能である。また、必ずしも机の強度メンバーとしての機能を果たす必要はない。
【００２７】
背面部材３のアッパーフレーム１４は全体としては中空角形であり、表裏両面（前後両面）には、上から順に、横向き第１溝２３、横向き第２溝２４、横向き第３溝２５が形成されており、また、下面には下向き溝２６が形成されている。各溝は蟻溝状に形成されている。
【００２８】
サイドフレーム１３は全体として中空角形になっていて、前面体１３ａと後面板１３ｂとを備えている。また、サイドフレーム１３には、パネル体１６の左右の折り曲げ部２１がきっちり嵌まり込む内向き縦溝２８と、外側に向けて開口した外向き縦溝２９とが形成されている。外向き縦溝２９は蟻溝になっており、更に、サイドフレーム１３の内部には、円筒の一部を縦に切除した形状のインナー縦溝３０が一体形成されている。サイドフレーム１３の上下両端には樹脂製のキャップ３１を装着している。
【００２９】
アッパーフレーム１４とサイドフレーム１３とは、アッパーフレーム１４の隔壁２７とサイドフレーム１３の内側面に重なるＬ形のジョイント金具３２とビス（図示せず）を使用して連結されている。サイドフレーム１３の内向き溝２８には、ジョイント金具３２を差し込むための窓穴３４が空いている。いうまでもないが、サイドフレーム１３とアッパーフレーム１４とは他の連結構造（例えば溶接）も採用できる。
【００３０】
パネル体１６の左右の折り返し部２１は上下複数本（２本）のビス（例えばタッピンねじ）３５でサイドフレーム１３の内向き縦溝２８に固定されている。パネル体１６は、その上方に配線用の空間１７が空いた状態と空いていない状態とに高さを２段階に高さ調節できる。図３の符号３６，３７はビス３５の挿通穴である。
【００３１】
背面部材３におけるサイドフレーム１３の前面板１３ａ及び後面板１３ｂには、当該サイドフレーム１３と脚４又は袖キャビネット５との連結手段の一環として、上下一対の係合穴３９が空けられており、また、サイドフレーム１３の前面板１３ａ及び後面板１３ｂの上端部には、上部を幅狭部４０ａとした凸字形のストッパー穴４０を空けている。
【００３２】
前記係合穴３９は大径部３９ａと小径部３９ｂとが連通したダルマ形係合穴であるが、前面板１３ａの係合穴３９と背面板１３ｂの係合穴３９とは姿勢が上下逆になり、かつ、前後の係合穴３９とも小径部３９ｂの中心は同じ高さになっている。なお、ダルマ形係合穴３９の姿勢は前後で逆向きでも良い。
【００３３】
図３（Ｂ）は背面部材３と脚４及び袖キャビネット５との関係を示す図で、この図に示すように、机１を構成する脚４及び袖キャビネット５の背面には、背面部材３との連結手段の一環として、ダルマ形係合穴３９の小径部３９ａに嵌まる首部を有する異径ピン（段付きピン）４１が突設されている。異径ピン４１はサイドフレーム１３の上下ダルマ形係合穴３９に対応して上下２本を１セットとしており、更に、１つの脚４及び袖キャビネット５に左右に並設した背面部材３を連結することを可能ならしめるため、異径ピン４１は脚４及び袖キャビネット５に左右２セットずつ設けている。
【００３４】
本実施形態では、背中合わせ方式机システムの組み立ては例えば次のような手順で行うことができる。すなわち、後机１の脚４又は袖キャビネット５に対して背面部材３を連結し、次いで、背面部材３に対して前机１の脚４又は袖キャビネット５を連結し、それから、前後机１の脚４又は袖キャビネット５に対して天板２をそれぞれ連結するのである。
【００３５】
(3).天板と脚及び袖キャビネットとの連結構造
次に、天板２と脚４及び袖キャビネット５との連結構造を主として図４〜図８に基づいて説明する。図４のうち（Ａ）は天板２の前部と脚４との連結構造を示す分離斜視図、（Ｂ）はフロント金具４３を後方から見た斜視図、図５は天板２の後部と脚４との連結構造を示す分離斜視図、図６は背面部材３と脚４との上下ずれ防止手段を示す分離斜視図、図７は両面使い使用の机の部分的な平面図、図８は図７ VIII-VIII視断面図である。
【００３６】
天板２は、その上面を構成する表面板４４と、表面板４４の前部を支持する左右長手の前部補強枠４５と、表面板４４の後部を支持する後部補強枠４６と、前後補強枠４５の間に位置した中間補強枠（図示せず）と、補強枠群の左右両端に固着した前後長手のサイド補強枠４７と、樹脂製のサイドエッジ４８及びリアエッジ４９を備えている。
【００３７】
前後補強枠４５，４６はほぼ同じ断面形状であり、表面板４４に重なる部分とこれら下方に突出した角形樋状部５０を有する形態である。また、内部には断面略コ字状の補助補強材５１が配置されている。なお、図８では補助補強材５１は省略している。
【００３８】
例えば図４から容易に理解できるように、前部補強枠４５における角形樋状部５０の下面にフロント金具４３をボルト５２で固定している（溶接してもよい）。フロント金具４３は、側面視で後ろ向き鉤状の係合爪５３を左右に配置した正面視略下向き開口コ字形に形成されており、角形樋状部５０に形成した凹溝部５０ａに配置している。また、フロント金具４３の上面には台形状の後ろ向き突出部４３ａを形成しており、角形樋状部５０の凹溝部５０ａに形成した角穴５４に後ろ向き突出部４３ａを嵌め込むことによって位置決めをしている。
【００３９】
他方、脚４の上アーム１１は上向きに開口した樋状に形成されており、その前部に側断面略下向き開口コ字状の前支持体５５を溶接によって固着し、この前支持体５５に、請求項に記載したスライド式係合手段の一環として、フロント金具４３の係合爪５３が前後方向から係脱する左右一対の係合穴５６を形成している。フロント金具４３のうち係合爪５３の上方には、前支持体５５の上面に当接又は密接し得る補助突起５３ａを形成している。天板２を上アーム１１に重ねてから後方にスライドさせることにより、係合爪５３を係合穴５６に簡単に係脱させることができる。脚４における上アーム１１の上端には内向きフランジ１１ａを形成している。
【００４０】
例えば図５及び図８に示すように、天板２を構成する後部補強枠４６の角形樋状部５０には、天板２の後方に露出した張り出し片６１を有するリア金具（後部連結金具）６０がボルト６２で固定されている一方、脚４における上アーム１１の後部には側断面略下向き開口コ字状の後部支持体６３が溶接によって固着されており、後部支持体６３には、リア金具６０の張り出し片６１をボルト６４で固定するための雌ねじ部（ナット）６５を設けている。
【００４１】
雌ねじ部６５は、上アーム１１の前後長手中心線を挟んだ両側に振り分けて配置されている。１つの脚４で左右の天板２を支持する場合は、リア金具６０の１つの張り出し片６１は脚４の外側にはみ出ている。１つの脚４で１枚の天板２を支持する場合は、左右張り出し片６１は上アーム１１と重なっている。
【００４２】
後部支持体６３は上アーム１１の上面よりも若干下方に落ち込んでおり、このため、リア金具６０の張り出し片６１は天板２に密着する部分から段落ちさせている。また、リア金具６０のうち天板２への固定用ボルト穴６６を挟んだ前後両側に突起６０ａを設けている一方、天板１を構成する後部補強枠４６の角形樋状部５０には、前後突起６０ａで挟まれる突条部５０ｂを形成して、この突条部５０ｂの内面にナットを溶接している。
【００４３】
リア金具６０は、天板２と脚４４との間に隙間を空けるためのスペーサの役割も備えており、そこで、リア金具６０のうち前後突起６０ａの前後外側の部分に、脚４における上アーム１１の水平フランジ１１ａに載る下向き押し曲げ部６０ｂを形成している。リア金具６０の張り出し片６１には、前後長手の小判形（長穴）のボルト挿通穴６８を空けている。
【００４４】
天板２を脚４に連結するに際しては、まず、フロント金具４３の係合爪５３を前支持体５５の係合穴５６に係合させ、次いで、リア金具６０の張り出し片６１を脚４の後部支持体６３にボルト６４で固定したら良い。フロント金具４３と係合穴５６との嵌まり合いにより、天板２と脚４とは上下左右方向に相対動不能に保持され、かつ、リア金具６０が脚４にボルト６４で締結されていることにより、天板２と脚４とはその後部において上下左右及び前後動不能に保持される。従って、天板２と脚４とは強固に固定されている。
【００４５】
そして、フロント金具４３と係合穴５６との嵌め合わせは天板２をスライドさせることで簡単に行われる一方、リア金具６０を締結するボルト６４の回転操作は、天板２の後方の露出箇所で無理な姿勢をとることなくごく簡単に行える。従って、机の組み立て及び分解をごく簡単に行うことができる。
【００４６】
脚４及び袖キャビネット５と背面部材３との連結手段として実施形態のように異径ピン４１とダルマ形係合穴３９との組み合わせを採用すると、例えば机を持ち上げたときに背面部材３を上下動不能に保持する手段が必要である。この点について本実施形態では、図６に示すように、上アーム１１の後部支持体６３にストッパー金具６９をボルト７０で固定し（このため、脚４の後部支持体６３にストッパー金具用雌ねじ部６５′を設けている。）、これに設けたストッパー爪６９ａを背面部材３におけるサイドフレーム１３のストッパー穴４０に嵌め込んでいる。
【００４７】
ストッパー爪６９ａは左右に２個振り分けて設けており、左右の背面部材３で１つの脚４を共用する場合は、左右のストッパー爪６９ａがそれぞれ背面部材３のストッパー穴４０に嵌まる。他方、１つの脚４に１つの背面部材３しか連結しない場合は、一方のストッパー爪６９ａは背面部材３におけるサイドフレーム１３のストッパー穴４０に嵌まり、他方のストッパー爪６９ａは背面部材３におけるアッパーフレーム１４の横向き第２溝２４に嵌まっている。
【００４８】
(4).端カバーの構造
次に、従前の図（図７）に加えて図９〜図１２に基づいて端カバー９の説明を行う。図９は端カバー９を分離した状態での平面図、図１０のうち（Ａ）は端カバー９を取り付けた状態での平面図、（Ｂ）は（Ａ）のＢ−Ｂ視断面図、図１１のうち（Ａ）は分離斜視図、（Ｂ）は端カバー９を裏側から見た斜視図、図１２のうち（Ａ）は端カバー９の斜視図、（Ｂ）は補助カバー７５の斜視図、（Ｃ）は補助カバー７５の側面図、（Ｄ）は補助カバー７５を裏側から見た斜視図、（Ｅ）は端カバー９と補助カバー７５との分離断面図である。
【００４９】
端カバー９は合成樹脂製であり、脚３の後部の露出部に重なる板状の水平部９ａと、その後部から立ち上がった後ろ起立部９ｂとで側面視略Ｌ字状の基本形態になっている。従って、後ろ起立部９ｂと天板２との間に支持体部配線空間が空いている。水平部９ａの上面は側面視波形に形成されているが、これは主としてデザイン的なものであり、平坦面であっても良い。
【００５０】
図１０（Ｂ）から推測できるように、水平部９ａの下面は、リア金具６０及びストッパー金具６９を固定するためのボルト６４，７０に当接又は近接するように設定している。また、水平部９ａの下面には、リア金具６０を固定するためのボルト６４の頭を囲う底面視略Ｕ字状のリブ７６を形成し、更に、脚４の後部支持体６３に当たる足部７７がリブ７６と連接した状態に形成されている。リブ７６の存在により、端カバー９はずれ不能に保持されている。端カバー９における水平部９ａの前端部は、天板２の後端部の下方の空間に嵌まり込むようになっている。
【００５１】
また、水平部９ａの前端部のうち左右中間部には、リア金具６０における左右張り出し片６１の間の隙間に嵌まり込み得る位置決め片７８を前向きに突設している。この位置決め片７８の存在により、端カバー９は左右ずれ不能に保持される。１つの脚４に左右２枚の天板２の端部を連結する場合は、図７に示すように左右２個のリア金具６０が脚４に固定されるが、この場合、隣り合ったリア金具６０の間に、端カバー９の位置決め片７８が嵌まり込む間隔が空くようになっている。従って、多数の単位机１を連結した多連式机システムにおいて、最端部に位置した支持体においても、両端の間に位置した支持体においても端カバー９を取り付けることができる。
【００５２】
端カバー９の後ろ起立部９ｂは、その前面が前向きに突出した平面視山形に形成されている。後ろ起立部９ｂは天板９ｂ′を有して下方及び後方に開口した中空状に形成されており、天板９ｂ′の後端に、背面部材３におけるサイドフレーム１３のストッパー穴４０の幅狭部４０ａ（図６も参照）に弾性に抗しての変形によって係脱する係合爪７９を形成している。本実施形態では係合爪７９は２個で１セットになっているが、１個ずつでもよい。また、係合爪７９が嵌脱する係合穴はストッパー穴４０と別の場所に設けることも可能であるが、本実施形態のようにストッパー穴４０に連通した状態に形成すると、構造が簡単になる利点がある。
【００５３】
端カバー９の後ろ起立部９ｂには、当該後ろ起立部９ｂから前向きに張り出した庇状の補助カバー７５が着脱自在に取り付けられる。補助カバー７５は平面視略四角形で、左右幅は水平部９ａと略同じに設定されており、後面は背面部材３におけるサイドフレーム１３の前面に重なるように設定している。従って、端カバー９の後ろ起立部９ｂは補助カバー７５で完全に覆われている。
【００５４】
補助カバー７５を端カバー９の後ろ起立部９ｂに取り付ける手段としては、後ろ起立部９ｂの天板９ｂ′及び前壁部に蟻溝状の切り開き穴（係合穴）８０を形成する一方、補助カバー７５の下面に、当該補助カバー７５を手前から後方に水平動させると切り開き穴８０に嵌まり込む蟻ホゾ状の係合突起８１を形成している。補助カバー７５は天板２が固定された状態で端カバー９に着脱することができ、従って、補助カバー７５を取り付けた状態では、補助カバー７５と天板２との間には、補助カバー７５の着脱を可能ならしめるための空間が空いている。
【００５５】
ところで、図１に示すように、隣り合った天板２に跨がると共に後面が背面パネル９に重なる状態でサイドパネルＳを配置する場合があるが、本実施形態のように補助カバー７５を前後方向のスライドによって端カバー９に着脱する構成にすると、補助カバー７５は、サイドパネルＳが配置された状態のままで着脱できる利点がある。更に、端カバー９の後ろ起立部９ｂは天板２の上面よりも下方に位置しているため、補助カバー７５を取外すと、サイドパネルＳを取り付けた状態であっても側面視で傾けることができ、このため、サイドパネルＳを取り付けたままで端カバー９を着脱させることが可能になる（端カバー９はサイドフレーム１３に係止しているので、左右ずれ不能に保持される。）。この点も本実施形態の利点である。
【００５６】
端カバー９の切り開き穴８０には、幅広状のストッパー部８０ａが形成されており、他方、補助カバー７５の係合突起８１にも、切り開き穴８０のストッパー部８０ａに当たる広幅状段部８１ａが形成されている。
【００５７】
端カバー９の取り付けは、図１０（Ｂ）に白抜き矢印Ｘで示すように、端カバー９をその前端が下になるように側面視で傾斜させた姿勢で前端部を天板２の右方に嵌め込み、次いで、白抜き矢印Ｙで示すように後部を下方に移動させて水平姿勢にしたらよい。端カバー９の前端がリア金具６０の段部に当接した状態で水平姿勢になることにより、係合爪７９が端カバー９におけるストッパー穴４０の幅狭部４０ａに嵌まり込む。取外しは逆の手順で行う。補助カバー７５の着脱は、当該補助カバー７５を前後方向にスライドさせることによって行う。
【００５８】
(5).メインカバー及び配線受け樋
図１３のうち（Ａ）は机１の端部の平面図、（Ｂ）は（Ａ）のＢ−Ｂ視断面図である。この図に示すように、メインカバー７と補助カバー７５とは上端及び前端が揃えられている。そして、メインカバー７は樹脂の押し出し形品で中空状に形成されており、上面はフラットで、かつ、後端部（基端部）の上下幅寸法が大きくて手前側の上下幅寸法は小さくなっている。
【００５９】
そして、後端面に、背面部材３におけるアッパーフレーム１４の横向き第１溝２３に嵌脱する２本の上部係合爪８３と、アッパーフレーム１４の横向き第２溝２４に嵌脱する１本の下部係合爪８４とを突設している。両係合爪８３，８４の先端部は上方に反っており、このため、メインカバー７は、その前部が上になるように側面視で傾斜した姿勢にすることにより、アッパーフレーム１４に着脱することができる。
【００６０】
配線受け樋８は断面上向き開口コ字状に形成されており、本実施形態では樹脂の押し出し成形品を使用している（もちろん、射出成形品を使用したり板金製品を使用したりすることもできるのであり、この点はメインカバー７も同じである。）。
【００６１】
そして、配線受け樋８の背面板８ａは上方に長く延びており、その上部には、アッパーフレーム１４のうち横向き第３溝２５に嵌まる上挟持爪８５と、アッパーフレーム１４の下面に当接する下挟持爪８６とを形成している。上下挟持爪８５，８６でアッパーフレーム１４の下部を挟持しているため、例えば人が足で突き上げても離脱することはない。配線受け樋８には、パネル体１６に当たるストッパー片８７を設けている。詳細は省略するが、配線受け樋８はその複数個を上下に連結することができる。
【００６２】
なお、図１３（Ｂ）では配線受け樋８の断面表示は省略している。また、図１３（Ａ）のアッパーフレーム１４は、机を背中合わせにしない態様で使用されるタイプを表示しており、このタイプでは、アッパーフレーム１４の背面部には横向き第１溝２３と横向き第２溝２４とは形成していない。
【００６３】
(6).天板と袖キャビネットとの連結及びカバー手段
次に、天板と袖キャビネットとの連結態様を図１４に基づいて補足しておく。図１４のうち（Ａ）は袖キャビネット５の前部の平面図、（Ｂ）は袖キャビネット５の後部の平面図、（Ｃ）は（Ｂ）のＣ−Ｃ視断面図である。
【００６４】
袖キャビネット５と天板２との連結構造も基本的には脚４の場合と同じで、既述のフロント金具４３とリア金具６０を使用しているが、袖キャビネット５は左右幅が大きいので、例えば天板２を持ち上げたときの強度を確保するためや、袖キャビネット５を使用者の左右いずれに配置しても使用できるようにするため、フロント金具４３及びリア金具６０とも左右に２個ずつ配置している（ストッパー金具６９は１個だけで良い。）。
【００６５】
袖キャビネット５の本体は、側板に固定された前かまち（前補強材）８９及び後ろかまち（後ろ補強材）９０とを備えており、天板２は両かまち８９，９０に連結している。なお、前後かまち８９，９０を一体に連結して天板と成してもよい。
【００６６】
袖キャビネット５と天板２との連結も基本的には脚４との連結と同じであり、各金具４３，６０，６９は既述したものと同じである。前かまち７１は図示しない補強材を備えており、また、係合穴５６は図示しない補強板に形成している。後ろかまち９０のうちリア金具６０及びストッパー金具６９が締結される部分は、脚４の後部支持板６３が上アーム１１の上面からやや下方に沈み込んでいることに対応して下方に段落ちしている。
【００６７】
既述のとおり、フロント金具４３及びリア金具６０は左右２個ずつ使用しているが、袖キャビネット５で左右２枚の天板２を支持する場合も１枚の天板２を支持する場合のいずれにおいてもフロント金具４３の左右係合爪５３が係合穴５６に嵌まるように、前部の係合穴５６は３本ずつ形成している。
【００６８】
図１４では端カバー９は表示していないが、机システムの端部に位置した箇所や、袖キャビネット５同士又は袖キャビネット５と脚４とを並設した箇所においては、リア金具６０とストッパー金具６９との箇所に既述した端カバー９がそのまま使用される。
【００６９】
他方、袖キャビネット５にはリア金具６０を左右に一対配置しており、このうちの１つのリア金具６０の箇所には、背面部材３のサイドフレーム１３は存在していない。この場所には、リア金具６０を隠すため、図１５に示す中間カバー９１を配置している。
【００７０】
すなわち、図１５のうち（Ａ）は分離平面図、（Ｂ）は中間カバー９１を裏返した状態での斜視図、（Ｃ）は中間カバー９１を取り付けた状態での（Ａ）のＣ−Ｃ視断面図であり、中間カバー９１は、その前端部が天板２の後端部下方に張り込むように設定していると共に、リア金具６０における左右張り出し片６１の間に入り込む前向き突起９２を左右一対設けており、更に、水平状態に保持する手段として、袖キャビネット５の後ろかまち９０に形成した第１係合穴９３に弾性的に嵌合する係合爪９４を形成している。
【００７１】
また、後ろかまち９０に当たって高さを一定に保持するリブ９５を形成し、更に、リブ９５よりも下向きに突出した下向き突起９６を設けて、これを、後ろかまち９０に形成した第２係合穴９７に嵌め込んでいる。
【００７２】
左右の前向き突起９２は前後長手の中心線を挟んだ左右に振り分けて配置しており、かつ、係合爪９４は左右中間部に形成している一方、後ろかまち９０の第１係合穴９３は、リア金具６０の左右張り出し片６１のうち内側に位置した張り出し片６１の後方に形成している。従って、中間カバー９１は同じ種類のものを袖キャビネット５の左側にも右側にも取り付けることができる。
【００７３】
このように中間カバー９１を設けることにより、美感をいっそう向上できると共にケーブル類も保護することができる。なお、袖キャビネット６の箇所のうち端カバー９と中間カバー９１との間の部分は露出したままになっているが、この部分にも別途カバーを設けることは可能である。
【００７４】
(7).その他
本願発明は上記の実施形態の他にも様々に具体化できる。例えば端カバーや補助カバーの具体的な形態は必要に応じて変更できる（例えば、端カバーは、側面視で上向き開口コ字状の形態を採用すること（すなわち、水平部の前部と後部とに起立部を設けること）も可能である。）。また、端カバーが机システムの最端部に位置した場合に端面を塞ぎたい場合は、端カバーに、ケーブル類を左右に挿通できないように遮蔽する上下差し込み式の仕切りキャップを設けることも可能である。
【００７５】
更に、補助カバーは、前後水平方向の移動によって着脱することには限らず、上下方向の移動によって着脱させたり、本実施形態のメインカバーの取り付け構造と同様に、側面視で傾斜姿勢にして係合部を挿脱してから水平姿勢に倒すことで装着することも可能である。更に、端カバーと補助カバーとの係合手段を左右水平方向の相対動で嵌脱する方式として、左右方向に水平移動させることで端カバーに着脱させることも可能である。また、フロント金具及びリア金具の形態は必要に応じて変更できる。
【符号の説明】
【００７６】
１  机ユニット（単位机）
２  天板
３  背面部材
４  支持体の一例としての脚
５  支持体の一例としての袖キャビネット
６  メイン配線空間
７  メインカバー
９  端カバー
９ｂ  後ろ起立部
４３  フロント金具
６０  リア金具
７５  補助カバー
【手続補正３】
【補正対象書類名】図面
【補正対象項目名】図１０
【補正方法】変更
【補正の内容】
【図１０】
2011139961.tif 000018
【手続補正４】
【補正対象書類名】図面
【補正対象項目名】図１３
【補正方法】変更
【補正の内容】
【図１３】
2011139961.tif 000019